(57)【要約】      （修正有）【課題】ネットを介し、一人の代表者入力欄に対して複数の紹介者入力欄を設けた入力画面を配信することで、効率良く入会者を確保する入会申し込み受付方法を提供する。【解決手段】募集者サーバがインターネット上に入会申込画面を配信するステップと、代表者の通信端末で代表者の入会申込情報を入力するステップと、紹介者情報を入力するステップと、入力情報を募集者サーバに送信するステップと、募集者サーバが、前記送信された情報を管理マスタに登録するステップと、紹介者情報を仮登録するステップと、複数の紹介者が入会申込情報を入力枠に入力し、代表者通信端末に送信するステップと、代表者通信端末が紹介者の入会申込情報を収集し、確認し、一括して募集者サーバに送信するステップと、募集者サーバが、管理マスタの紹介者情報を紹介者の入会情報に置き換えて登録するステップからなる入会申し込み受付方法を提供する。【選択図】図１
2006172252.tif 000002
【特許請求の範囲】
【請求項１】
募集者サーバがインターネットで配信した入会申込画面で複数まとめて新会員を募集する入会申し込み受付方法であって、
募集者サーバがインターネット上に入会申込画面を配信するステップと、
代表者の通信端末の表示部に代表者入力画面を表示して代表者の入会申込情報を入力するステップと、事前に作成された紹介者情報リストを参照して紹介者情報を入力するステップと、入力された代表者の入会申込情報と紹介者情報を募集者サーバに送信するステップと、
募集者サーバが、代表者の入会申込情報を受信して代表者の入会情報として登録するステップと、紹介者情報を仮登録するステップと、
複数の紹介者の通信端末が通信端末の表示部に紹介者入力画面を表示して入会申込情報を入力枠に入力し、代表者通信端末に送信するステップと、
代表者通信端末が紹介者の入会申込情報を収集し、確認し、一括して募集者サーバに送信するステップと、
募集者サーバが、管理マスタの紹介者情報を紹介者の入会情報に置き換えて登録するステップからなることを特徴とする入会申し込み受付方法。
【請求項２】
請求項１に記載の入会申し込み受付方法において、
更に、登録された入会者に対しても代表者の入会申込情報入力枠と、複数の紹介者情報入力枠が設けられた入会申込画面が配信されることを特徴とする入会申し込み受付方法。
【請求項３】
請求項１〜２何れか１項に記載の入会申し込み受付方法において、
紹介者情報には、少なくとも紹介者氏名と電子メールアドレスが含まれ、入会申込情報には、少なくとも、電話番号，住所が含まれることを特徴とする入会申し込み受付方法。
【発明の詳細な説明】
【技術分野】
【０００１】
本発明は、インターネット上で新会員を複数まとめて募集する入会申込受付方法に関する。
【背景技術】
【０００２】
従来、例えば、クレジットカード会員として入会する場合、既に会員となっている既会員に紹介者となってもらって入会したり、クレジットカード会社からの働きかけで、新会員にふさわしい人として推薦されて入会するのが一般的である。
後者の場合は、既会員が推薦者に関する個人情報の一部を所定の推薦状に記載してカード会社に送付している。
一方、会員を募集した会社で行われる、推薦者を紹介してくれた既会員へのプレゼント提供作業や、推薦者に対する案内状の送付作業等は、手作業によって行われており合理化されていない。
【０００３】
このような背景の中で、オンラインによる会員紹介システムが開示されている（例えば、特許文献１参照）。
このシステムは、インターネットを利用した会員紹介システムであって、会員がサービス提供者のホームページにアクセスすると、会員紹介ページが表示され、会員が紹介者のメールアドレス、氏名を含む個人情報を入力すると、紹介者が使用するパスワードが生成され本部のデータベースに蓄積されると共に、紹介者のメールアドレスに前記パスワードと共に案内メールが自動配信される。案内メールを確認した紹介者が入会を希望する場合は、入会申込み者の追加個人情報を入力して入会手続きが完了する。本部のデータベースには送信されたデータが蓄積される。
【０００４】
【特許文献１】特開２００２−２７９１２４号公報
【発明の開示】
【発明が解決しようとする課題】
【０００５】
前記開示技術は、１回の申込みで1人の登録しかできない。そこで、本発明では、ネットを介し、一人の代表者入力欄に対して複数の紹介者入力欄を設けた入力画面を配信することで、効率良く入会者を確保する入会申し込み受付方法を提供する。
【課題を解決するための手段】
【０００６】
上記課題の目的を達成するために、本発明の入会申し込み受付方法の請求項1に記載の発明は、募集者サーバがインターネットで配信した入会申込画面で複数まとめて新会員を募集する入会申し込み受付方法であって、募集者サーバがインターネット上に入会申込画面を配信するステップと、代表者の通信端末の表示部に代表者入力画面を表示して代表者の入会申込情報を入力するステップと、事前に作成された紹介者情報リストを参照して紹介者情報を入力するステップと、入力された代表者の入会申込情報と紹介者情報を募集者サーバに送信するステップと、募集者サーバが、代表者の入会申込情報を受信して代表者の入会情報として管理マスタに登録するステップと、紹介者情報を仮登録するステップと、複数の紹介者の通信端末が通信端末の表示部に紹介者入力画面を表示して入会申込情報を入力枠に入力し、代表者通信端末に送信するステップと、代表者通信端末が紹介者の入会申込情報を収集し、確認し、一括して募集者サーバに送信するステップと、募集者サーバが、管理マスタの紹介者情報を紹介者の入会情報に置き換えて登録するステップからなることを特徴とするものである。
【０００７】
また、請求項２に記載の発明は、請求項１に記載の発明において、更に、登録された入会者に対しても代表者の入会申込情報入力枠と、複数の紹介者情報入力枠が設けられた入会申込画面が配信されることを特徴とするものである。
【０００８】
また、請求項３に記載の発明は、請求項１〜２何れか１項に記載の発明において、紹介者情報には、少なくとも紹介者氏名と電子メールアドレスが含まれ、入会申込情報には、少なくとも、電話番号，住所が含まれることを特徴とするものである。
【発明の効果】
【０００９】
本発明の入会申し込み受付方法により、
１）仮登録された紹介者に、入会メールを送信することで紹介者のメールアドレスや名前をキー入力して登録する必要がなく、効率的に会員募集を実施することができ、そのために必要な経費をサービス向上に振り向けることができる。
２）紹介されて入会した会員に対しても複数の紹介会員を求めることで、会員数を少ない労力で増やすことができる。
３）例えば、入力枠の入力項目を変化させることによって、広範囲にしかも長期にわたって行われるクレジットカード会員募集のような分野から、地域性を有し期間が短い旅行や、スポーツ同好会の会員募集分野にまで広く適用することができる。
【発明を実施するための最良の形態】
【００１０】
以下図面を参照して、本発明の入会申し込み受付方法について説明する。
図１は、本発明の入会申し込み受付方法を実現するための装置構成について説明するための模式図，図２は、本発明の入会申し込み受付方法において、代表者が入力する入力画面の一例について説明するための図，図３は、紹介者確認画面の一例について説明するための図，図４は、紹介者が入会のために入力する入力画面の一例について説明するための図，図５は、本発明の入会申し込み受付方法で、代表者が紹介者を伴って入会を申し込む手順について説明するための図，図６は、本発明の入会申し込み受付方法で、紹介者が入会を申し込む手順について説明するための図である。
【００１１】
図１を参照して、本発明の入会申し込み受付方法を実現するための装置構成について説明する。
本発明の入会申し込み受付方法を実現するために、募集者側は、入会申込画面を配信するための募集者サーバ１を設置する。
募集者サーバ１は、代表者や、紹介者が入会申込情報を入力するための入力画面，代表者が紹介者の紹介者情報を入力するための入力画面，紹介者が入会申込情報を入力する前に、紹介者情報が正しいことを確認するための確認画面を配信する。
また、募集者サーバ１には、代表者通信端末２から送信された紹介者情報を一時仮登録者情報として保管するための管理マスタ１０が接続されている。
代表者の申し込みによって仮登録された紹介者情報は、次の段階で代表者を介して送信された紹介者の入会申込情報によって、正式な入会情報に書き換えられて管理マスタに登録される。
代表者は、既に会員となっている既会員としてもよいのであるが、本実施の形態で記載する代表者とは、新しく入会を希望する入会希望者の代表とし、紹介者は、代表者がまとめた入会希望者とする。
【００１２】
通信端末２は、送受信手段，入力手段，表示手段、または、送受信部，入力部，表示部を有する通信端末で、代表者自身の入会に必要な入会申込情報や、代表者が紹介する複数の紹介者の入会申込情報を入力する。
通信端末は、募集の規模が大きな場合は、ＰＣ（Ｐｅｒｓｏｎａｌ  Ｃｏｍｐｕｔｅｒ）等が使用され、規模が小さい場合は、ＰＤＡ（Ｐｅｒｓｏｎａｌ  Ｄｉｇｉｔａｌ  Ａｓｓｉｓｔａｎｃｅ）や、携帯電話等が使用される。
紹介者情報を入力するために、氏名や、電子メールのアドレス（以下、単にメールアドレスという。）等が記載された紹介者情報リスト２０が事前に用意される。
紹介者情報リスト２０は、紙などに文字で出力されたものでも、ＦＤ（Ｆｌｅｘｉｂｌｅ  Ｄｉｓｋ）や、メモリチップに記録されたものでもよい。
代表者と、紹介者の使用端末を区別していないのは、必要なときに誰でも同じ通信端末を使用することができるからである。
【００１３】
図２を参照して、本発明の入会申し込み受付方法で代表者が入力する入力画面の一例について説明する。
通信端末２は、募集者サーバ１が配信する募集者のＨＰ（Ｈｏｍｅ  Ｐａｇｅ）を開いて、代表者入力画面２１を表示する。
代表者入力画面２１には、代表者の入会申込情報である代表者情報入力枠２１１、および、少なくとも紹介者の氏名とメールアドレスを含む紹介者情報入力枠２１２が表示される。
【００１４】
代表者情報入力枠２１１として、例えば、代表者の氏名，住所，連絡先電話番号，メールアドレス，職業，勤務先（会社）名と住所を入力するための入力枠が表示される。
更に、紹介者情報入力枠２１２として、紹介者の個人情報の一部である氏名，メールアドレスを入力するための入力枠が表示される。
表示しないが、紹介者情報入力枠が表示される前に、入力される予定の紹介者の人数を入力する入力枠が表示される。
紹介者の人数を入力する入力枠に数字を入力すると、入力した数の紹介者情報入力枠２１２が、氏名，メールアドレスのセットで表示される。
【００１５】
代表者は、自分の氏名，住所，連絡先電話番号，メールアドレス，職業，勤務先（会社）名と住所をそれぞれの入力枠に入力する。
更に、複数の紹介者の氏名，メールアドレスを紹介者情報入力枠に入力する。
【００１６】
それぞれの入力枠には、演算プログラム，入力データの変換プログラム，サーバで実行されるプログラム，暗号化プログラム等が組み込まれており、それぞれの入力枠に入力された入力情報は、募集者サーバに送信され、それぞれ所定のファイルに保管される。
【００１７】
募集者サーバに送信された代表者の入会申込情報には、募集者サーバによって生成されたＩＤコードが検索コードとして貼付される。代表者の入会申込情報に貼付されたＩＤコードは、代表者が次の段階で紹介者の入会申込情報を収集して一括申し込みを行う際にも使用される。
また、紹介者の紹介者情報は、募集者サーバ、または、募集者サーバに接続された上位機種によって編集され、紹介者の氏名，メールアドレス，代表者の氏名，入力画面に表示されない代表者のメールアドレスが貼付されて、紹介者のメールアドレスに送信される。
【００１８】
図３を参照して、紹介者確認画面の一例について説明する。
紹介者のメールアドレスに、紹介者確認画面２２が送信される。
紹介者確認画面２２には、代表者氏名「日本太郎」が表示され、紹介者情報として紹介者の氏名，メールアドレス等の代表者情報と紹介者情報２２１が表示される。
紹介者確認画面には、入会するための規則が文章で表示され、記載された内容を承諾した場合は、画面右下の「確認」ボタンを押す。
【００１９】
図３の画面で確認ボタンが押されると、図４の画面に変わる。
図４に示す画面は、紹介者入力画面２３で、紹介者の個人情報を入力するための入力枠が表示されている。
紹介者入力画面には、代表者の氏名「日本太郎」が表示され、紹介者の個人情報が代表者経由で募集者に送信される旨の内容が記載されている。
紹介者情報入力枠２３１の内容は、図２に示す代表者情報入力枠と同一になっている。
入力が終わったら画面右下の送信ボタンを押す。
送信ボタンが押されると、送信ボタンに組み込まれたプログラムによって入力された紹介者入会申込情報は、代表者のメールアドレスに送信される。
【００２０】
図５を参照して、本発明の入会申し込み受付方法で、代表者が紹介者を伴って入会を申し込む手順について説明する。
募集者サーバ１は、インターネット上に代表者入力画面，紹介者入力画面等の入会申込画面を配信する（ステップ１：以下Ｓ１と記載する。）。
代表者通信端末は、複数の紹介者通信端末から紹介者のメールアドレスを収集し、紹介者のメールアドレスリストを作成する（Ｓ２）。
代表者の通信端末の表示部に代表者入力画面を表示する（Ｓ３）。
代表者入力画面に表示された入力枠に代表者の個人情報（入会申込情報）が入力される（Ｓ４）。
Ｓ２で作成された紹介者の氏名とメールアドレスリスト（紹介者情報リスト）を参照し、紹介者情報が入力される（Ｓ５）。
Ｓ４，Ｓ５で入力された代表者の入会申込情報と紹介者情報が募集者サーバに送信される（Ｓ６）。
募集者サーバは、代表者の入会申込情報を受信し、代表者の入会情報として登録する（Ｓ７）。
更に、紹介者情報を仮登録する（Ｓ８）。
【００２１】
図６を参照して、本発明の入会申し込み受付方法で、紹介者が入会を申し込む手順について説明する。
募集者サーバ１は、インターネット上に代表者入力画面，紹介者入力画面等の入会申込画面を配信する（Ｓ１１）。
紹介者Ａ〜Ｎの通信端末は、通信端末の表示部に紹介者入力画面を表示する（Ｓ１２）。
それぞれの紹介者の通信端末によって、入会申込情報が入力され、代表者通信端末に送信される（Ｓ１３）。
代表者通信端末は、紹介者の入会申込情報を収集し、確認し、一括して募集者サーバに送信する（Ｓ１４）。
募集者サーバ１は、管理マスタの紹介者情報を紹介者の入会情報に置き換えて登録する（Ｓ１５）。
【００２２】
なお、図示しないが、セキュリティを高めるために、募集者サーバ１，通信端末２によって送受信されるデータは、入力画面，入力枠に組み込まれた暗号化プログラムによって暗号化され、また送信中のデータの改竄をチェックするために、送信されるデータには電子署名が添付される。
【産業上の利用可能性】
【００２３】
本発明の入会申し込み受付方法は、大規模で有効期間の長いクレジットカード会員募集のような分野から、小規模で有効期間の短い旅行やスポーツ同好会の会員募集分野まで広く利用される。
【図面の簡単な説明】
【００２４】
【図１】本発明の入会申し込み受付方法を実現するための装置構成について説明するための模式図である。
【図２】本発明の入会申し込み受付方法において、代表者が入力する入力画面の一例について説明するための図である。
【図３】紹介者確認画面の一例について説明するための図である。
【図４】紹介者が入会のために入力する入力画面の一例について説明するための図である。
【図５】本発明の入会申し込み受付方法で、代表者が紹介者を伴って入会を申し込む手順について説明するための図である。
【図６】本発明の入会申し込み受付方法で、紹介者が入会を申し込む手順について説明するための図である。
【符号の説明】
【００２５】
１      募集者サーバ
２      通信端末
１０    管理マスタ
２１    代表者入力画面
２２    紹介者確認画面
２３    紹介者入力画面
３０    紹介者情報リスト
２１１  代表者情報入力枠
２１２  紹介者情報入力枠
２２１  代表者情報と紹介者情報
２３１  紹介者情報入力枠
【図１】
2006172252.tif 000003
【図２】
2006172252.tif 000004
【図３】
2006172252.tif 000005
【図４】
2006172252.tif 000006
【図５】
2006172252.tif 000007
【図６】
2006172252.tif 000008